(57)【要約】      （修正有）【課題】記録紙が詰まることが抑制された構造のプリンタ装置を提供する。【解決手段】ロール状に巻かれた記録紙が設置される記録紙ホルダ１１１が設けられたプリンタ本体部と、前記プリンタ本体部に開閉可能な状態で取り付けられた蓋部１２０と、前記蓋部に取り付けられたプラテンローラ１４０と、前記プリンタ本体部に取り付けられたプリントヘッド１３０と、を有し、前記記録紙ホルダには、前記記録紙ホルダから前記プリントヘッドにかけて前記記録紙をガイドする記録紙ホルダガイド１１２が設けられており、前記記録紙ホルダガイドと対向して記録紙搬送路を形成する位置には下側記録紙ガイド１６０が設けられており、前記記録紙は、ロール状に巻かれている状態から、記録紙ホルダガイドと下側記録紙ガイドとの間に形成される前記記録紙搬送路を通り、前記プリントヘッドと前記プラテンローラとの間に挟まれるプリンタ装置。【選択図】図１２
2017052180.tif 000002
【特許請求の範囲】
【請求項１】
ロール状に巻かれた記録紙が設置される記録紙ホルダが設けられたプリンタ本体部と、
前記プリンタ本体部に開閉可能な状態で取り付けられた蓋部と、
前記蓋部に取り付けられたプラテンローラと、
前記プリンタ本体部に取り付けられたプリントヘッドと、
を有し、
前記記録紙ホルダには、前記記録紙ホルダから前記プリントヘッドにかけて前記記録紙をガイドする記録紙ホルダガイドが設けられており、
前記記録紙ホルダガイドと対向して記録紙搬送路を形成する位置には下側記録紙ガイドが設けられており、
前記記録紙は、ロール状に巻かれている状態から、記録紙ホルダガイドと下側記録紙ガイドとの間に形成される前記記録紙搬送路を通り、前記プリントヘッドと前記プラテンローラとの間に挟まれることを特徴とするプリンタ装置。
【請求項２】
前記蓋部には可動刃を備えたカッタフレームが取り付けられており、
前記プリンタ本体部には固定刃が取り付けられており、
前記固定刃と前記可動刃により、前記プリントヘッドにより印字のなされた記録紙を切断するカッター部が形成されるものであって、
前記下側記録紙ガイドは、前記カッタフレームに取り付けられていることを特徴とする請求項１に記載のプリンタ装置。
【請求項３】
前記下側記録紙ガイドは、前記カッタフレームより取り外し可能であることを特徴とする請求項２に記載のプリンタ装置。
【請求項４】
前記下側記録紙ガイドは、前記カッタフレームと一体化していることを特徴とする請求項２に記載のプリンタ装置。
【請求項５】
前記下側記録紙ガイドは、前記記録紙を前記記録紙ホルダガイド側に押すことを特徴とする請求項１または２に記載のプリンタ装置。
【発明の詳細な説明】
【技術分野】
【０００１】
本発明は、プリンタ装置に関する。
【背景技術】
【０００２】
レシート等を発行するプリンタは、商店等のレジスタ、銀行等におけるＡＴＭ（Automated Teller Machine）やＣＤ（Cash dispenser）等の用途に幅広く用いられている。このようなレシート等を発行するプリンタは、記録紙となる感熱紙を搬送しながらサーマルヘッド等により記録紙に印字等を行ない、所定の長さまで記録紙を搬送した後、カッターで所定の長さで記録紙が切断される。カッターは、固定刃と可動刃により構成されており、可動刃が固定刃の側にスライドして動くことにより、可動刃と固定刃の間の記録紙を切断することができる。
【０００３】
また、このようなプリンタ装置においては、例えば、プリンタ本体部と、プリンタ本体部に回動可能な状態で支持された蓋部が設けられており、この蓋部を開くことによりプリンタ本体部の記録紙ホルダに、ロール状に巻かれた記録紙を設置することができる。
【先行技術文献】
【特許文献】
【０００４】
【特許文献１】特許第２５８５７６９号公報
【特許文献２】特開２００３−２４６１０４号公報
【特許文献３】特開２００９−２８９１０号公報
【特許文献４】特開２００８−１４３００４号公報
【発明の概要】
【発明が解決しようとする課題】
【０００５】
ところで、上述したプリンタ装置は、様々なユーザが使用する発券装置等にも用いられている。このような発券装置においては、使用している途中で、記録紙が詰まってしまう場合がある。例えば、ユーザの中には発券装置より出力されている印字途中の記録紙を引っ張り抜き取る場合がある。このように、印字の途中で記録紙を引っ張ると、記録紙には記録紙幅方向に対して斜めに力が加わることで記録紙がサーマルヘッドとプラテンローラとの間で斜めの状態で挟み込まれて撓み、後に発券する際に、記録紙が詰まってしまう場合がある。
【０００６】
このため、記録紙が詰まることのないプリンタ装置が求められている。
【課題を解決するための手段】
【０００７】
本実施の形態の一観点によれば、ロール状に巻かれた記録紙が設置される記録紙ホルダが設けられたプリンタ本体部と、前記プリンタ本体部に開閉可能な状態で取り付けられた蓋部と、前記蓋部に取り付けられたプラテンローラと、前記プリンタ本体部に取り付けられたプリントヘッドと、を有し、前記記録紙ホルダには、前記記録紙ホルダから前記プリントヘッドにかけて前記記録紙をガイドする記録紙ホルダガイドが設けられており、前記記録紙ホルダガイドと対向して記録紙搬送路を形成する位置には下側記録紙ガイドが設けられており、前記記録紙は、ロール状に巻かれている状態から、記録紙ホルダガイドと下側記録紙ガイドとの間に形成される前記記録紙搬送路を通り、前記プリントヘッドと前記プラテンローラとの間に挟まれることを特徴とする。
【発明の効果】
【０００８】
本発明によれば、記録紙が詰まることを抑制することができる。
【図面の簡単な説明】
【０００９】
【図１】プリンタ装置の蓋部が開いている状態の断面図（１）
【図２】プリンタ装置の蓋部が開いている状態の断面図（２）
【図３】プリンタ装置の蓋部が閉じている状態の断面図（１）
【図４】プリンタ装置の蓋部が閉じている状態の断面図（２）
【図５】プリンタ装置の蓋部が閉じている状態の断面の要部拡大図
【図６】プリンタ装置における記録紙詰まりの説明図（１）
【図７】プリンタ装置における記録紙詰まりの説明図（２）
【図８】第１の実施の形態におけるプリンタ装置の蓋部が開いている状態の断面図（１）
【図９】第１の実施の形態におけるプリンタ装置の蓋部が開いている状態の断面図（２）
【図１０】第１の実施の形態におけるプリンタ装置の蓋部が閉じている状態の断面図（１）
【図１１】第１の実施の形態におけるプリンタ装置の蓋部が閉じている状態の断面図（２）
【図１２】第１の実施の形態におけるプリンタ装置の蓋部が閉じている状態の断面の要部拡大図
【図１３】第１の実施の形態におけるプリンタ装置の蓋部が開いている状態の斜視図
【図１４】カッタフレームに取り付けられている下側記録紙ガイドの斜視図
【図１５】下側記録紙ガイドが取り付けられていない状態のカッタフレームの斜視図
【図１６】第１の実施の形態におけるプリンタ装置の説明図（１）
【図１７】第１の実施の形態におけるプリンタ装置の説明図（２）
【図１８】第１の実施の形態における他のプリンタ装置の構造図（１）
【図１９】第１の実施の形態における他のプリンタ装置の構造図（２）
【図２０】第１の実施の形態における他のプリンタ装置の構造図（３）
【図２１】第２の実施の形態におけるプリンタ装置の構造図（１）
【図２２】第２の実施の形態におけるプリンタ装置の構造図（２）
【図２３】第２の実施の形態におけるプリンタ装置の構造図（３）
【発明を実施するための形態】
【００１０】
本発明を実施するための形態について、以下に説明する。尚、同じ部材等については、同一の符号を付して説明を省略する。
【００１１】
（プリンタ装置）
最初に、図１〜図５に示されるプリンタ装置において、ユーザが印字途中の記録紙を引っ張ると、記録紙には記録紙幅方向に対して斜めに力が加わることで記録紙がサーマルヘッドとプラテンローラとの間で斜めの状態で挟み込まれ、その後に記録紙を印字する際に、記録紙が詰まってしまうことのメカニズムについて説明する。図１〜図５に示されるプリンタ装置は、クラムシェルタイプのプリンタ装置とも呼ばれるものであり、ロール状に巻かれた記録紙を落とし込み方式により、記録紙ホルダ内に設置する構造のものである。図１及び図２は、プリンタ装置において蓋部が開いている状態の断面図であり、図１は、記録紙ホルダに記録紙が設置されていない状態を示し、図２は、記録紙ホルダに記録紙が設置されている状態を示す。図３及び図４は、プリンタ装置において蓋部が閉じている状態の断面図であり、図３は、記録紙ホルダに記録紙が設置されていない状態を示し、図４は、記録紙ホルダに記録紙が設置されている状態を示す。図５は、図３において１点鎖線３Ａで囲まれた領域の拡大図である。
【００１２】
図１〜図５に示されるプリンタ装置は、プリンタ本体部１０と、プリンタ本体部１０に取り付けられている蓋部２０とを有している。蓋部２０は、不図示の軸を中心に回動可能な状態でプリンタ本体部１０に取り付けられている。
【００１３】
プリンタ本体部１０には、記録紙ホルダ１１、記録紙１００に印字を行なうためのプリントヘッドであるサーマルヘッド３０、固定刃５１、制御回路基板１５、モータ等が設けられている。記録紙ホルダ１１は、記録紙ホルダ１１の内部に、ロール状に巻かれた記録紙１００を設置することができるように形成されている。尚、ロール状に巻かれた記録紙１００は感熱紙である。
【００１４】
記録紙ホルダ１１からサーマルヘッド３０にかけて、記録紙１００をガイドするための記録紙ホルダガイド１２が形成されており、サーマルヘッド３０と記録紙ホルダガイド１２との間には、上側記録紙ガイド１３が設けられている。尚、制御回路基板１５は、図１〜図５に示されるプリンタ装置の制御を行なうためのものである。また、モータとしては、記録紙１００を搬送するためのモータ、後述する可動刃を駆動するためのモータが搭載されている。
【００１５】
蓋部２０には、プラテンローラ４０、可動刃５２及びカッタフレーム５３が設けられている。
【００１６】
図１〜図５に示されるプリンタ装置においては、ロール状に巻かれた記録紙１００を記録紙ホルダ１１内に入れ、蓋部２０を閉じることにより設置される。また、プリンタ本体部１０に設けられた固定刃５１と蓋部２０に設けられた可動刃５２とにより、記録紙１００を切断するためのカッター部が形成されている。可動刃５２が固定刃５１の設けられている側にスライドして移動することにより、固定刃５１と可動刃５２との間に存在している記録紙１００を切断することができる。
【００１７】
図１〜図５に示されるプリンタ装置は、蓋部２０が閉じられ、記録紙１００に印字が行なわれている状態においては、図６に示されるように、記録紙１００は、記録紙ホルダガイド１２とカッタフレーム５３との間に形成される記録紙搬送路を通り、更に、上側記録紙ガイド１３とカッタフレーム５３との間を通り、サーマルヘッド３０とプラテンローラ４０との間に挟まれている。記録紙１００は、プラテンローラ４０が回転することにより搬送され、サーマルヘッド３０は、記録紙１００が搬送されている状態で印字を行う。印字の行われた記録紙１００は、固定刃５１と可動刃５２の間を通り、蓋部２０に設けられた排紙口２１より排紙される。
【００１８】
記録紙１００に印字が行なわれている状態においては、印字の行われた記録紙１００は、排紙口２１より出ているため、記録紙１００に印字がなされている途中で、記録紙１００がカッター部により切断される前にユーザが引っ張ると、印字のなされた記録紙１００の幅方向に対して斜めに力が加わることで、記録紙１００がサーマルヘッド３０とプラテンローラ４０との間で斜めの状態で挟み込まれる場合がある。このような場合には、プラテンローラ４０による記録紙１００の搬送が正常には行われず、また、記録紙ホルダガイド１２とカッタフレーム５３との間には、空間１６が存在しているため、図７に示されるように、この空間１６において、記録紙１００が撓むことで詰まってしまう場合がある。このように、記録紙１００が詰まってしまうと、詰まっている記録紙１００を取り除くメンテナンスをする必要があり、メンテナンスが終了するまで、プリンタ装置を使用することができない。
【００１９】
〔第１の実施の形態〕
次に、本実施の形態におけるプリンタ装置について、図８〜図１３に基づき説明する。本実施の形態におけるプリンタ装置は、クラムシェルタイプのプリンタ装置とも呼ばれるものであり、ロール状に巻かれた記録紙を落とし込み方式により、記録紙ホルダ内に設置する構造のものである。図８及び図９は、本実施の形態におけるプリンタ装置において蓋部が開いている状態の断面図であり、図８は、記録紙ホルダに記録紙が設置されていない状態を示し、図９は、記録紙ホルダに記録紙が設置されている状態を示す。図１０及び図１１は、本実施の形態におけるプリンタ装置において蓋部が閉じている状態の断面図であり、図１０は、記録紙ホルダに記録紙が設置されていない状態を示し、図１１は、記録紙ホルダに記録紙が設置されている状態を示す。図１２は、図１０において１点鎖線１０Ａで囲まれた領域の拡大図である。図１３は、本実施の形態におけるプリンタ装置において蓋部が開いていおり、記録紙ホルダに記録紙が設置されていない状態の斜視図である。
【００２０】
本実施の形態におけるプリンタ装置は、プリンタ本体部１１０と、プリンタ本体部１１０に取り付けられている蓋部１２０とを有している。蓋部１２０は、不図示の軸を中心に回動可能な状態でプリンタ本体部１１０に取り付けられている。言い換えるならば、本実施の形態におけるプリンタ装置は、プリンタ本体部１１０に開閉可能な状態で取り付けられている蓋部１２０を有している。
【００２１】
プリンタ本体部１１０には、記録紙ホルダ１１１、記録紙１００に印字を行なうためのプリントヘッドであるサーマルヘッド１３０、固定刃１５１、制御回路基板１１５、モータ等が設けられている。記録紙ホルダ１１１は、記録紙ホルダ１１１の内部に、ロール状に巻かれた記録紙１００を設置することができるように形成されている。尚、本実施の形態におけるプリンタ装置に用いられるロール状に巻かれた記録紙１００は感熱紙である。
【００２２】
記録紙ホルダ１１１には記録紙ホルダ１１１からサーマルヘッド１３０にかけて記録紙１００をガイドするための記録紙ホルダガイド１１２が形成されており、サーマルヘッド１３０と記録紙ホルダガイド１１２との間には、上側記録紙ガイド１１３が設けられている。尚、制御回路基板１１５は、本実施の形態におけるプリンタ装置の制御を行なうためのものである。また、モータとしては、記録紙１００を搬送するためのモータ、後述する可動刃を駆動するためのモータが搭載されている。
【００２３】
蓋部１２０には、プラテンローラ１４０、可動刃１５２を備えるカッタフレーム１５３が設けられており、カッタフレーム１５３には、記録紙ホルダガイド１１２と対向して記録紙搬送路を形成する下側記録紙ガイド１６０が取り付けられている。尚、図１４は、下側記録紙ガイド１６０が取り付けられている状態を示し、図１５は、下側記録紙ガイド１６０が取り付けられていない状態を示す。
【００２４】
本実施の形態においては、ロール状に巻かれた記録紙１００を記録紙ホルダ１１１内に入れ、蓋部１２０を閉じることにより設置される。また、プリンタ本体部１１０に設けられた固定刃１５１と蓋部１２０に設けられた可動刃１５２とにより、記録紙を切断するためのカッター部が形成されている。可動刃１５２が固定刃１５１の設けられている側にスライドして移動することにより、固定刃１５１と可動刃１５２との間に存在している記録紙１００を切断することができる。
【００２５】
本実施の形態におけるプリンタ装置は、蓋部１２０が閉じられ、記録紙１００に印字が行なわれている状態においては、図１６に示されるように、記録紙１００は、記録紙ホルダ１１１の端部に形成された記録紙ホルダガイド１１２と下側記録紙ガイド１６０との間を通り、更に、上側記録紙ガイド１１３とカッタフレーム１５３との間を通り、サーマルヘッド１３０とプラテンローラ１４０との間に挟まれている。記録紙１００は、プラテンローラ１４０が回転することにより搬送され、サーマルヘッド１３０は、記録紙１００が搬送されている状態で印字を行う。印字のなされた記録紙１００は、固定刃１５１と可動刃１５２の間を通り、蓋部１２０に設けられた排紙口１２１より排紙される。
【００２６】
記録紙１００に印字が行なわれている状態においては、印字の行われた記録紙１００は、排紙口１２１より出ているため、記録紙１００に印字がなされている途中で、記録紙１００がカッター部により切断される前にユーザが引っ張ると、記録紙１００の幅方向に対して斜めに力が加わる。本実施の形態においては、記録紙ホルダガイド１１２に対向して記録紙搬送路を形成する位置に下側記録紙ガイド１６０が設けられており、ロール状に巻かれた記録紙１００は、記録紙ホルダガイド１１２と下側記録紙ガイド１６０との間に形成される記録紙搬送路を通る。
【００２７】
即ち、本実施の形態におけるプリンタ装置は、図７に示されるような空間１６が存在していないため、印字の行われた記録紙１００を途中でユーザが引っ張っても、記録紙１００が詰まってしまうことはない。
【００２８】
言い換えるならば、図１７に示されるように、印字の途中で記録紙１００が引っ張られても、記録紙１００は、記録紙ホルダガイド１１２と下側記録紙ガイド１６０とで形成される間の細い隙間である記録紙搬送路を通っており、この記録紙搬送路においては、記録紙１００が撓むことはないため、記録紙１００が詰まることを防ぐことができる。
【００２９】
本実施の形態においては、下側記録紙ガイド１６０は、樹脂材料により形成されているが、ステンレス等の金属材料により形成されていてもよい。また、図１８に示すように、下側記録紙ガイド１６０は、カッタフレーム１５３に対し脱着可能であり、必要に応じて取り付けたり、取り外したりすることができるものであってもよい。具体的には、図１８に示されるように、下側記録紙ガイド１６０は、カッタフレーム１５３において、記録紙ホルダガイド１１２側に出っ張った部分１５３ａに、下側記録紙ガイド１６０の中程に設けられた凹部１６０ａを入れることにより、カッタフレーム１５３に下側記録紙ガイド１６０を取り付けるものであってもよい。
【００３０】
尚、記録紙１００を落とし込み方式により記録紙ホルダ１１１に設置する構造のプリンタ装置においては、ロール状に巻かれた記録紙の外周部分で、記録紙が巻戻り、巻かれている記録紙と記録紙との間に隙間が生じやすいため、下側記録紙ガイド１６０が設けられていることが好ましい。
【００３１】
また、図１９に示されるように、カッタフレームと下側記録紙ガイドとが同一材料により形成されており一体化されているものであってもよい。このような、カッタフレーム２５２においては、カッタフレーム２５２の一部として、下側記録紙ガイド１６０に相当する下側記録紙ガイド部１６０ｐが形成されている。
【００３２】
また、図２０に示されるように、下側記録紙ガイド２６０は、金属板を折り曲げたりダイキャストにより形成してもよい。この場合、下側記録紙ガイド２６０は、ステンレス、亜鉛ダイキャスト、アルミダイキャスト等により形成してもよい。
【００３３】
〔第２の実施の形態〕
次に、第２の実施の形態におけるプリンタ装置について説明する。本実施の形態におけるプリンタ装置は、下側記録紙ガイドが弾性を有するもの等により形成されている。
【００３４】
本実施の形態におけるプリンタ装置は、図２１に示されるように、下側記録紙ガイド３６０と、下側記録紙ガイド３６０を記録紙ホルダガイド１１２の側に押す復元力を有するコイルバネ３６１により形成されている。記録紙１００は、記録紙ホルダガイド１１２と下側記録紙ガイド３６０との間を通るが、下側記録紙ガイド３６０がコイルバネ３６１の復元力により、記録紙ホルダガイド１１２側に押されているため、記録紙１００は、記録紙ホルダガイド１１２と下側記録紙ガイド３６０との間で挟まれている。このため、サーマルヘッド１３０とプラテンローラ１４０との間から、記録紙ホルダガイド１１２と下側記録紙ガイド３６０との間において、記録紙１００が撓むことを抑制することができるため、この部分で記録紙１００が詰まることを防ぐことができる。本実施の形態においては、下側記録紙ガイド３６０は、樹脂材料により形成されたものであってもよく、金属材料により形成されたものであってもよい。
【００３５】
また、本実施の形態におけるプリンタ装置は、図２２に示されるように、コイルバネ３６１に代えて、板バネ３６２を用いた構造のものであってもよい。尚、本実施の形態においては、コイルバネ３６１や板バネ３６２以外の弾性体、例えば、ゴム等を用いてもよい。
【００３６】
また、本実施の形態におけるプリンタ装置は、図２３に示されるように、下側記録紙ガイド３６０自体が弾性を有し、記録紙１００を記録紙ホルダガイド１１２側に押す復元力を有するものであってもよい。この場合、図２１に示されるコイルバネ３６１や図２２に示される板バネ３６２は不要となる。
【００３７】
尚、上記以外の内容については、第１の実施の形態と同様である。
【００３８】
以上、本発明の実施に係る形態について説明したが、上記内容は、発明の内容を限定するものではない。
【符号の説明】
【００３９】
１００      記録紙
１１０      プリンタ本体部
１１１      記録紙ホルダ
１１２      記録紙ホルダガイド
１１３      上側記録紙ガイド
１１５      制御回路基板
１２０      蓋部
１２１      排紙口
１３０      サーマルヘッド
１４０      プラテンローラ
１５１      固定刃
１５２      可動刃
１５３      カッタフレーム
１６０      下側記録紙ガイド
【図１】
2017052180.tif 000003
【図２】
2017052180.tif 000004
【図３】
2017052180.tif 000005
【図４】
2017052180.tif 000006
【図５】
2017052180.tif 000007
【図６】
2017052180.tif 000008
【図７】
2017052180.tif 000009
【図８】
2017052180.tif 000010
【図９】
2017052180.tif 000011
【図１０】
2017052180.tif 000012
【図１１】
2017052180.tif 000013
【図１２】
2017052180.tif 000014
【図１３】
2017052180.tif 000015
【図１４】
2017052180.tif 000016
【図１５】
2017052180.tif 000017
【図１６】
2017052180.tif 000018
【図１７】
2017052180.tif 000019
【図１８】
2017052180.tif 000020
【図１９】
2017052180.tif 000021
【図２０】
2017052180.tif 000022
【図２１】
2017052180.tif 000023
【図２２】
2017052180.tif 000024
【図２３】
2017052180.tif 000025